(57)【特許請求の範囲】
【請求項１】
複数のパート群にそれぞれ対応する複数のタブを表示するタブ表示手段と、
前記複数のタブの各々の中に、対応するパート群の各パートのダイジェスト情報を表示するダイジェスト情報表示手段と、
前記複数のタブのうちいずれか１つのタブの選択を受け付けるタブ選択受付手段と、
選択されたタブに対応するパート群の詳細情報を含むパート詳細画面を表示する詳細情報表示手段と
を備えた、パート表示装置。
【請求項２】
前記ダイジェスト情報は、当該ダイジェスト情報に対応するパート群の各パートが使用状態であるか否かを示す、請求項１記載のパート表示装置。
【請求項３】
前記複数のパート群の各パートを使用状態または非使用状態に設定する使用状態設定手段をさらに備える、請求項１または２記載のパート表示装置。
【請求項４】
前記パート詳細画面は、前記選択されたタブに対応するパート群の複数のパートにそれぞれ対応する複数のパート表示領域を含み、
各パート表示領域には、対応するパートに関する第１の情報が前記詳細情報として表示される、請求項１から３のいずれか一項に記載のパート表示装置。
【請求項５】
前記パート詳細画面は、付加表示領域をさらに含み、
前記付加表示領域には、前記複数のパート群のうち少なくとも１つのパートに関する第２の情報が表示される、請求項４記載のパート表示装置。
【請求項６】
前記複数のパート群のうちいずれか１つのパートの指定を受け付けるパート指定受付手段をさらに備え、
前記付加表示領域には、指定されたパートに関する情報が前記第２の情報として表示される、請求項５記載のパート表示装置。
【請求項７】
前記第１の情報は、対応するパートに対して設定された複数の設定情報を含み、
前記指定されたパートに対応するパート表示領域において前記複数の設定情報のうちいずれか１つの指定を受け付ける情報指定受付手段をさらに備え、
前記付加表示領域には、指定された設定情報に対応する情報が前記第２の情報として表示される、請求項６記載のパート表示装置。
【請求項８】
前記複数の設定情報のうち少なくとも１つはパラメータを示すパラメータ情報であり、
前記複数の設定情報のうち前記パラメータ情報が指定された場合、前記付加表示領域には、前記第２の情報として、指定されたパラメータ情報が示すパラメータを調整するためのパラメータ調整子が表示され、
前記付加表示領域における前記パラメータ調整子の操作を受け付ける操作受付手段をさらに備え、
前記付加表示領域における前記パラメータ調整子の操作に追従するように、前記パート表示領域において、前記指定されたパラメータ情報の表示が変化する、請求項７記載のパート表示装置。
【請求項９】
前記パートには、１または複数の音色が割り当てられる、請求項１から８のいずれか一項に記載のパート表示装置。
【請求項１０】
前記パートには、音響機器が割り当てられる、請求項１から８のいずれか一項に記載のパート表示装置。
【請求項１１】
請求項１から９のいずれか一項に記載のパート表示装置を備える、電子音楽装置。
【請求項１２】
請求項５から７のいずれか一項に記載のパート表示装置と、
複数の音高指定子と、
パート毎に音高範囲を設定する音高範囲設定手段と、
設定された音高範囲と前記複数の音高指定子との対応関係を設定する対応関係設定手段とをさらに備え、
前記付加表示領域には、設定された対応関係が表示される、電子音楽装置。
【請求項１３】
請求項１から１０のいずれか一項に記載のパート表示装置を備える、制御端末装置。
【請求項１４】
複数のパート群にそれぞれ対応する複数のタブを表示するステップと、
前記複数のタブの各々の中に、対応するパート群の各パートのダイジェスト情報を表示するステップと、
前記複数のタブのうちいずれか１つのタブの選択を受け付けるステップと、
選択されたタブに対応するパート群の詳細情報を含むパート詳細画面を表示するステップとを含む、パート表示方法。
【請求項１５】
複数のパート群にそれぞれ対応する複数のタブを表示するステップと、
前記複数のタブの各々の中に、対応するパート群の各パートのダイジェスト情報を表示するステップと、
前記複数のタブのうちいずれか１つのタブの選択を受け付けるステップと、
選択されたタブに対応するパート群の詳細情報を含むパート詳細画面を表示するステップとをコンピュータに実行させる、パート表示プログラム。
【発明の詳細な説明】
【技術分野】
【０００１】
本発明は、パート表示装置、電子音楽装置およびパート表示方法に関する。
【背景技術】
【０００２】
電子楽器およびミキサ等の電子音楽装置においては、複数のパートに関する情報がディスプレイ上に表示される。特許文献１に記載されるＤＪ（ディスクジョッキー）システムは、ＤＪコントローラーおよびパーソナルコンピュータを含む。ＤＪコントローラーは、ミキサの機能を有し、４つのチャンネル（パート）にアサインされた音声信号の操作が可能である。パーソナルコンピュータには、ＤＪアプリケーションがインストールされている。ＤＪアプリケーションの表示画面は、上記４つのチャンネルに対応する４つのチャンネル別表示領域を有する。各チャンネル別表示領域には、チャンネル名および各種設定内容等が表示される。
【先行技術文献】
【特許文献】
【０００３】
【特許文献１】特許第４７８１４９１号公報
【発明の概要】
【発明が解決しようとする課題】
【０００４】
上記特許文献１のＤＪシステムにおいては、全てのパートに対応する表示領域が表示画面に確保される。しかしながら、パートの数が増えると、表示画面に全てのパートに対応する表示領域を確保することは難しい。そこで、一部のパートに対応する表示領域のみを選択的に設けることが考えられる。しかしながら、その場合には、選択されていないパートの情報を確認するために表示の切替が必要となるので、利便性に欠ける。【０００５】
本発明の目的は、パート数が多い場合でも利便性が低下することなく各パートの情報を容易に確認可能なパート表示装置およびこれを備えた電子音楽装置を提供することである。
【課題を解決するための手段】
【０００６】
本発明のある観点に係るパート表示装置は、複数のパート群にそれぞれ対応する複数のタブを表示するタブ表示手段と、複数のタブの各々の中に、対応するパート群の各パートのダイジェスト情報を表示するダイジェスト情報表示手段と、複数のタブのうちいずれか１つのタブの選択を受け付けるタブ選択受付手段と、選択されたタブに対応するパート群の詳細情報を含むパート詳細画面を表示する詳細情報表示手段とを備える。【０００７】
このパート表示装置においては、表示された複数のタブのうちいずれか１つのタブが選択されると、選択されたタブに対応するパート群の詳細情報を含むパート詳細画面が表示される。それにより、限られたスペースに所望のパート群の詳細情報を表示することができる。また、各タブには対応するパート群の各パートのダイジェスト情報が表示される。これにより、ユーザは、選択されていないタブを見て、そのタブに対応する各パートのダイジェスト情報を確認することができる。したがって、パート数が多い場合でも、利便性が低下することなく各パートの情報を容易に確認することが可能となる。【０００８】
ダイジェスト情報は、当該ダイジェスト情報に対応するパート群の各パートが使用状態であるか否かを示してもよい。この場合、ユーザは、選択されていないタブに対応する各パートが使用状態であるか非使用状態であるかを容易に確認することができる。【０００９】
パート表示装置は、複数のパート群の各パートを使用状態または非使用状態に設定する使用状態設定手段をさらに備えてもよい。【００１０】
パート詳細画面は、選択されたタブに対応するパート群の複数のパートにそれぞれ対応する複数のパート表示領域を含み、各パート表示領域には、対応するパートに関する第１の情報が詳細情報として表示されてもよい。この場合、ユーザは、選択されたタブに対応する各パートの第１の情報を容易に確認することができる。【００１１】
パート詳細画面は、付加表示領域をさらに含み、付加表示領域には、複数のパート群のうち少なくとも１つのパートに関する第２の情報が表示されてもよい。この場合、ユーザは、選択されたタブに対応する各パートの第１の情報と、少なくとも１つのパートに関する第２の情報とを共通のパート詳細画面において確認することができる。【００１２】
パート表示装置は、複数のパート群のうちいずれか１つのパートの指定を受け付けるパート指定受付手段をさらに備え、付加表示領域には、指定されたパートに関する情報が第２の情報として表示されてもよい。この場合、ユーザは、所望のパートの第２の情報を付加表示領域上で容易に確認することができる。【００１３】
第１の情報は、対応するパートに対して設定された複数の設定情報を含み、パート表示装置は、指定されたパートに対応するパート表示領域において複数の設定情報のうちいずれか１つの指定を受け付ける情報指定受付手段をさらに備え、付加表示領域には、指定された設定情報に対応する情報が第２の情報として表示されてもよい。この場合、ユーザは、簡単な操作で所望の設定情報に対応する第２の情報を付加表示領域に表示させることができる。【００１４】
複数の設定情報のうち少なくとも１つはパラメータを示すパラメータ情報であり、複数の設定情報のうちパラメータ情報が指定された場合、付加表示領域には、第２の情報として、指定されたパラメータ情報が示すパラメータを調整するためのパラメータ調整子が表示され、パート表示装置は、付加表示領域におけるパラメータ調整子の操作を受け付ける操作受付手段をさらに備え、付加表示領域におけるパラメータ調整子の操作に追従するように、パート表示領域において、指定されたパラメータ情報の表示が変化してもよい。【００１５】
この場合、ユーザは、付加表示領域に表示されるパラメータ調整子を操作することにより、指定のパートのパラメータを容易に調整することができる。また、パラメータ調整子の操作によるパラメータの変更がパート表示領域の表示にも反映されるので、ユーザは、パート表示領域および付加表示領域のいずれにおいても、調整後のパラメータを確認することができる。【００１６】
パートには、１または複数の音色が割り当てられてもよいし、音響機器が割り当てられてもよい。【００１７】
本発明のある観点に係る電子音楽装置は、以上のようなパート表示装置を備えていてもよい。【００１８】
本発明のある観点に係る電子音楽装置は、以上のような付加表示領域を表示可能なパート表示装置と、複数の音高指定子と、パート毎に音高範囲を設定する音高範囲設定手段と、設定された音高範囲と複数の音高指定子との対応関係を設定する対応関係設定手段とをさらに備え、付加表示領域には、設定された対応関係が表示されてもよい。この場合、ユーザは、各パートの音高範囲と複数の音高操作子との対応関係を容易に確認することができる。【００１９】
本発明のある観点に係る制御端末装置は、以上のようなパート表示装置を備えていてもよい。【００２０】
本発明のある観点に係るパート表示方法は、複数のパート群にそれぞれ対応する複数のタブを表示するステップと、複数のタブの各々に、対応するパート群の各パートのダイジェスト情報を重畳して表示するステップと、複数のタブのうちいずれか１つのタブの選択を受け付けるステップと、選択されたタブに対応するパート群の詳細情報を含むパート詳細画面を表示するステップとを含む。【００２１】
本発明のある観点に係るパート表示プログラムは、複数のパート群にそれぞれ対応する複数のタブを表示するステップと、複数のタブの各々に、対応するパート群の各パートのダイジェスト情報を重畳して表示するステップと、複数のタブのうちいずれか１つのタブの選択を受け付けるステップと、選択されたタブに対応するパート群の詳細情報を含むパート詳細画面を表示するステップとをコンピュータに実行させる。【００２２】
この方法およびプログラムによれば、パート数が多い場合でも利便性が低下することなく各パートの情報を容易に確認することが可能となる。
【発明の効果】
【００２３】
本発明によれば、パート数が多い場合でも利便性が低下することなく各パートの情報を容易に確認することが可能となる。
【図面の簡単な説明】
【００２４】
【図１】第１実施の形態に係る電子音楽装置の構成を示すブロック図である。
【図２】第１実施の形態に係るパートの構成例について説明するための図である。
【図３】第１実施の形態に係るディスプレイに表示されるパフォーマンス画面の例を示す図である。
【図４】第１実施の形態に係るパート表示領域における表示例を示す図である。
【図５】第１実施の形態に係る付加表示領域における表示例を示す図である。
【図６】第１実施の形態に係る付加表示領域における表示例を示す図である。
【図７】第１実施の形態に係る付加表示領域における表示例を示す図である。
【図８】第１実施の形態に係る付加表示領域における表示例を示す図である。
【図９】第１実施の形態に係る付加表示領域における表示例を示す図である。
【図１０】第１実施の形態に係るパフォーマンス画面の切替例を示す図である。
【図１１】図１の電子音楽装置の機能的な構成を示すブロック図である。
【図１２】図１の電子音楽装置におけるパート表示処理の一例を示すフローチャートである。
【図１３】第２実施の形態に係る音響システムの構成を示すブロック図である。
【図１４】第２実施の形態に係るコントローラの構成を示すブロック図である。
【図１５】第２実施の形態に係る音響機器の構成を示すブロック図である。
【図１６】第２実施の形態に係るパートの構成例について説明するための図である。
【図１７】第２実施の形態に係るディスプレイに表示される管理画面の例を示す図である。
【図１８】第２実施の形態に係る付加表示領域における表示例を示す図である。
【図１９】第２実施の形態に係る付加表示領域における表示例を示す図である。
【図２０】図１４のコントローラの機能的な構成を示すブロック図である。
【発明を実施するための形態】
【００２５】
以下、本発明の幾つかの実施の形態に係るパート表示装置およびパート表示方法について図面を用いて詳細に説明する。
【００２６】
（１）第１実施の形態
（１−１）電子音楽装置の構成
図１は、本実施の形態に係るパート表示装置を備えた電子音楽装置の構成を示すブロック図である。図１の電子音楽装置１は、楽曲の演奏および製作が可能な電子鍵盤楽器である。電子音楽装置１は、演奏操作部２、検出回路３、設定操作子４、検出回路５、ディスプレイ６および表示回路７を備える。
【００２７】
本例において、演奏操作部２は、複数の鍵からなる鍵盤である。各鍵は、音高指定子の例である。演奏操作部２は、検出回路３を介してバス１９に接続され、使用者の演奏動作に基づく演奏データが演奏操作部２により入力される。演奏データは、音高情報およびベロシティ情報を含む。設定操作子４は、オンオフ操作されるスイッチ、回転操作またはスライド操作される可変抵抗器（ボリューム）等を含み、検出回路５を介してバス１９に接続される。設定操作子４は、音色の切り替え、音量の調整、電源のオンオフおよび各種設定を行うために用いられる。
【００２８】
ディスプレイ６は、表示回路７を介してバス１９に接続される。ディスプレイ６には、演奏または設定等に関する各種情報が表示される。ディスプレイ６および設定操作子４の少なくとも一部がタッチパネルディスプレイにより構成されてもよい。
【００２９】
電子音楽装置１は、ＲＡＭ（ランダムアクセスメモリ）９、ＲＯＭ（リードオンリメモリ）１０、ＣＰＵ（中央演算処理装置）１１、タイマ１２、記憶装置１３および通信Ｉ／Ｆ（インタフェース）１４をさらに備える。ＲＡＭ９、ＲＯＭ１０、ＣＰＵ１１、記憶装置１３および通信Ｉ／Ｆ１４はバス１９に接続され、タイマ１２はＣＰＵ１１に接続される。外部記憶装置１５等の外部機器が通信Ｉ／Ｆ１４を介してバス１９に接続されてもよい。ＲＡＭ９、ＲＯＭ１０およびＣＰＵ１１がコンピュータを構成する。
【００３０】
ＲＡＭ９は、例えば揮発性メモリからなり、ＣＰＵ１１の作業領域として用いられるとともに、各種データを一時的に記憶する。ＲＯＭ１０は、例えば不揮発性メモリからなり、システムプログラムおよびパート表示プログラム等のコンピュータプログラムを記憶する。ＣＰＵ１１は、ＲＯＭ１０に記憶されたパート表示プログラムをＲＡＭ９上で実行することによりパート表示装置として動作し、後述するパート表示処理を行う。タイマ１２は、現在時刻等の時間情報をＣＰＵ１１に与える。
【００３１】
記憶装置１３は、ハードディスク、光学ディスク、磁気ディスクまたはメモリカード等の記憶媒体を含む。上記のパート表示プログラムが記憶装置１３に記憶されてもよい。外部記憶装置１５は、記憶装置１３と同様に、ハードディスク、光学ディスク、磁気ディスクまたはメモリカード等の記憶媒体を含む。上記のパート表示プログラムが外部記憶装置１５に記憶されてもよい。
【００３２】
パート表示プログラムは、コンピュータが読み取り可能な記録媒体に格納された形態で提供され、ＲＯＭ１０または記憶装置１３にインストールされてもよい。また、通信Ｉ／Ｆ１４が通信網に接続されている場合、通信網に接続されたサーバから配信されたパート表示プログラムがＲＯＭ１０または記憶装置１３にインストールされてもよい。
【００３３】
電子音楽装置１は、音源１６およびサウンドシステム１７をさらに備える。音源１６はバス１９に接続され、サウンドシステム１７は音源１６およびバス１９に接続される。音源１６は、演奏操作部２から入力される演奏データまたは記憶装置１３から与えられる楽曲データ等に基づいて音響信号を生成するとともにその音響信号に音響効果を付与する。
【００３４】
サウンドシステム１７は、デジタルアナログ（Ｄ／Ａ）変換回路、増幅器およびスピーカを含む。サウンドシステム１７は、音源１６から与えられる音響信号に基づく楽音を発生する。アナログ式の外部スピーカが電子音楽装置１に接続されてもよい。その場合、音源１６によって生成された音響信号がアナログ信号に変換され、そのアナログ信号が外部スピーカに出力される。また、音源１６によって生成された音響信号が、アナログ信号に変換されることなく、ＵＳＢ（Universal Serial Bus）ケーブル等を介して外部装置に出力されてもよい。その場合、サウンドシステム１７は設けられなくてもよい。
【００３５】
（１−２）パートの構成
ユーザは、電子音楽装置１の動作モードを選択することができる。本実施の形態では、電子音楽装置１の動作モードとして、パフォーマンスモードを選択することができる。この場合、１または複数のパフォーマンスデータが図１の記憶装置１３に記憶される。パフォーマンスデータは複数のパートから構成されており、それら複数のパートに対して設定された種々のパラメータを表す。各パートには、パラメータとして１または複数の音色を割り当て可能である。各パートに割り当てられる音色は、予め定められていてもよく、あるいはユーザが指定可能であってもよい。なお、本実施の形態でいうパートとは、１つの音楽を構成するように同一の又は異なる音色のストリームが時間軸方向に並列に重ねられるときの、各ストリームに相当する。例えば、ヴォーカルのストリームに、これの伴奏となるピアノ、ギター、打楽器等の楽器音のストリームを重ね合わせて１つの音楽を構成するとき、これらの各ストリームがパートに相当する。１つのパートを、複数の音色のストリームを重ね合わせたものとすることができ、例えば、ピアノのストリームとギターのストリームとを重ねたストリームを、本実施の形態でいう１つのパートとすることができる。
【００３６】
本実施の形態では、１つのパフォーマンスデータを構成する複数のパートが複数のパート群に区分される。図２は、パートの構成例について説明するための図である。図２の例においては、１つのパフォーマンスデータが１６のパートＰ１〜Ｐ１６から構成されており、それらのパートＰ１〜Ｐ１６が４つのパート群Ｇ１〜Ｇ４に区分される。パート群Ｇ１はパートＰ１〜Ｐ４を含み、パート群Ｇ２はパートＰ５〜Ｐ８を含み、パート群Ｇ３はパートＰ９〜Ｐ１２を含み、パート群Ｇ４はパートＰ１３〜Ｐ１６を含む。
【００３７】
パフォーマンスモードでは、ユーザが例えば図１の設定操作子４を操作して１つのパフォーマンスデータを選択する。ユーザが演奏操作部２を操作すると、選択されたパフォーマンスデータに基づいて複数の音色を含む音響信号が生成される。
【００３８】
（１−３）パフォーマンス画面
動作モードとしてパフォーマンスモードが選択されている場合、図１のディスプレイ６にパフォーマンス画面が表示される。パフォーマンス画面は、パフォーマンスデータの各パートの情報を含む。
【００３９】
図３は、ディスプレイ６に表示されるパフォーマンス画面の例を示す図である。図３のパフォーマンス画面２００は、ネーム表示領域２０１、表示切替ボタン（"view"ボタン）２０３、タブ２１１ａ〜２１１ｄ、パート表示領域２１２ａ〜２１２ｄ、および付加表示領域２１３を含む。
【００４０】
ネーム表示領域２０１は、パフォーマンス画面２００の上部に配置される。ネーム表示領域２０１には、選択されているパフォーマンスデータの名称（パフォーマンスネーム）が表示される。ユーザは、ネーム表示領域２０１に表示されるパフォーマンスネームを任意に切り替えることができる。表示切替ボタン２０３は、ネーム表示領域２０１の左側に配置される。表示切替ボタン２０３は、後述のようにパフォーマンス画面２００を切り替えるために操作される。
【００４１】
タブ２１１ａ〜２１１ｄは、ネーム表示領域２０１の下側で左右に並ぶように配置される。タブ２１１ａ〜２１１ｄは、図２のパート群Ｇ１〜Ｇ４にそれぞれ対応する。タブ２１１ａ〜２１１ｄの各々には、対応するパート群の各パートに関するダイジェスト情報が重畳して表示される。本例では、各パートが使用状態であるか非使用状態であるかを示す識別マークｄ１〜ｄ１６が、ダイジェスト情報としてタブ２１１ａ〜２１１ｄに重畳表示される。識別マークｄ１〜ｄ４はタブ２１１ａ上に表示され、識別マークｄ５〜ｄ８はタブ２１１ｂ上に表示され、識別マークｄ９〜ｄ１２はタブ２１１ｃ上に表示され、識別マークｄ１３〜ｄ１６はタブ２１１ｄ上に表示される。
【００４２】
識別マークｄ１〜ｄ１６は、図２のパートＰ１〜Ｐ１６にそれぞれ対応する。識別マークｄ１〜ｄ１６の各々は、対応するパートが使用状態であるか非使用状態であるかを色の違いによって表す。例えば、識別マークｄ１〜ｄ１６の各々は、対応するパートが使用状態である場合に比較的明るい色で表示され、対応するパートが非使用状態である場合に比較的暗い色で表示される。より具体的には、例えば、識別マークｄ１〜ｄ１６の各々が、緑色のランプが点灯または消灯している表示であってもよい。通常、使用状態のパートには音色が割り当てられており、図１の演奏操作部２が操作されると、使用状態のパートの音が発生される。
【００４３】
図３においては、使用状態のパートに対応する識別マークにハッチングが付される。本例では、識別マークｄ１〜ｄ５にハッチングが付されている。したがって、パートＰ１〜Ｐ５が使用状態である。一方、パートＰ６〜パートＰ１６は、非使用状態である。
【００４４】
ユーザは、タブ２１１ａ〜２１１ｄのうちいずれかを選択することができる。選択されているタブは、視覚的に認識しやすいように、例えばハイライト表示される。図３の例では、タブ２１１ａが選択されている。
【００４５】
パート表示領域２１２ａ〜２１２ｄは、タブ２１１ａ〜２１１ｄの下側にそれぞれ配置される。付加表示領域２１３は、タブ２１１ａ〜２１１ｄおよびパート表示領域２１２ａ〜２１２ｄの右側に配置される。パート表示領域２１２ａ〜２１２ｄおよび付加表示領域２１３により、パート詳細画面ＰＤが構成される。
【００４６】
なお、パフォーマンス画面２００のレイアウトは、図３の例に限定されない。例えば、パート表示領域２１２ａ〜２１２ｄが上下に並ぶように設けられてもよく、あるいはタイル状に上下左右に並ぶように設けられてもよい。また、パート表示領域２１２ａ〜２１２ｄと付加表示領域２１３との左右の位置関係が逆でもよい。
【００４７】
（１−４）パート表示領域における表示例
図３のパート表示領域２１２ａ〜２１２ｄの各々には、選択されているタブに対応するパート群の各パートの情報が表示される。例えば、タブ２１１ａが選択されている場合、パート表示領域２１２ａにパートＰ１の情報が表示され、パート表示領域２１２ｂにパートＰ２の情報が表示され、パート表示領域２１２ｃにパートＰ３の情報が表示され、パート表示領域２１２ｄにパートＰ４の情報が表示される。同様に、タブ２１１ｂが選択されている場合、パート表示領域２１２ａ〜２１２ｄにパートＰ５〜Ｐ８の情報がそれぞれ表示され、タブ２１１ｃが選択されている場合、パート表示領域２１２ａ〜２１２ｄにパートＰ９〜Ｐ１２の情報がそれぞれ表示される。タブ２１１ｄが選択されている場合、パート表示領域２１２ａ〜２１２ｄにパートＰ１３〜Ｐ１６の情報がそれぞれ表示される。
【００４８】
以下、パート表示領域２１２ａ〜２１２ｄにおける表示について、タブ２１１ａが選択されている場合のパート表示領域２１２ａにおける表示を例に説明する。図４は、パート表示領域２１２ａにおける表示例を示す図である。パート表示領域２１２ａは、パートネーム表示部２２１、アルペジオボタン２２２、ノートリミット表示部２２３、ベロシティリミット表示部２２４、キーボードコントロールボタン２２５、ミュートボタン２２６、ソロボタン２２７およびボリューム調整部２２８を含む。
【００４９】
パートネーム表示部２２１には、パートＰ１に割り当てられた音色のタイプ（パートタイプ）および名称（パートネーム）が表示される。図４の例では、パートタイプとして"Ｐｉａｎｏ"が表示され、パートネームとして"Ａｃｏｕｓｔｉｃ"が表示される。アルペジオボタン２２２は、アルペジオ機能のオンオフを切り替えるために操作される。アルペジオ機能がオンされると、パートＰ１が予め設定されたアルペジオパターンに従って発音される。アルペジオボタン２２２には、現時点でのアルペジオ機能のオンオフが表示される。現時点でのアルペジオ機能のオンオフがアルペジオボタン２２２の色の違いで表されてもよい。
【００５０】
ノートリミット表示部２２３には、ノートリミットが表示される。ノートリミットは、パラメータ情報の例であり、発音可能な音高の範囲を定める。具体的には、演奏操作部２により入力された音高が、ノートリミットとして定められた範囲外である場合、該当のパートが発音されない。本例では、ノートリミットの下限となる音高および上限となる音高がアルファベットおよび数値で表示されるとともに、ノートリミットを視覚的に表すメータＭ１が表示される。
【００５１】
ベロシティリミット表示部２２４には、ベロシティリミットが表示される。ベロシティリミットは、パラメータ情報の例であり、発音可能なベロシティの範囲を定める。具体的には、演奏操作部２により入力されたベロシティが、ベロシティリミットとして定められた範囲外である場合には、該当のパートが発音されない。本例では、ベロシティリミットの下限値および上限値が表示されるとともに、ベロシティリミットを視覚的に表すメータＭ２が表示される。
【００５２】
キーボードコントロールボタン２２５は、キーボードコントロール機能のオンオフを切り替えるために操作される。キーボードコントロール機能がオンされると、図１の演奏操作部２の操作により該当のパートが発音可能となる。ミュートボタン２２６は、ミュート機能のオンオフを切り替えるために操作される。ミュート機能がオンされると、該当のパートは発音されない。ソロボタン２２７は、ソロ機能のオンオフを切り替えるために操作される。ソロ機能がオンされると、該当のパートのみが発音され、他のパートが発音されない。現時点での各機能のオンオフがキーボードコントロールボタン２２５、ミュートボタン２２６およびソロボタン２２７の各々に表示されてもよく、または現時点での各機能のオンオフがキーボードコントロールボタン２２５、ミュートボタン２２６およびソロボタン２２７の各々の色の違いで表されてもよい。
【００５３】
以下、パート表示領域２１２ａ〜２１２ｄの各々に表示されるパートネーム、アルペジオ機能のオンオフ、ノートリミット、ベロシティリミット、キーボードコントロール機能のオンオフ、ミュート機能のオンオフ、ソロ機能のオンオフ、およびボリュームを設定情報と呼ぶ。これらの設定情報は、ユーザが設定可能である。
【００５４】
図３に示すように、パート表示領域２１２ａ〜２１２ｄには、１つの設定情報を指定するためのカーソルＣＳが表示される。ユーザは、カーソルＣＳをパート表示領域２１２ａ〜２１２ｄの任意の位置に移動させることができ、所望のパートの所望の設定情報を指定することができる。図３の例では、パート表示領域２１２ａにおけるノートリミット表示部２２３にカーソルＣＳが配置されている。この場合、パートＰ１のノートリミットが指定されている。
【００５５】
（１−５）付加表示領域における表示例
図３の付加表示領域２１３には、選択されているパート群のうち少なくとも１つのパートに関する情報が表示される。以下、付加表示領域２１３に表示される情報を付加情報と呼ぶ。本例では、カーソルＣＳによって指定される設定情報に対応する付加情報が、付加表示領域２１３に表示される。
【００５６】
図５〜図９は、付加表示領域２１３における表示例を示す図である。図５には、各パートのノートリミットを表すノートリミット画面Ｄ１の例が示される。図５のノートリミット画面Ｄ１は、いずれかのパート表示領域においてカーソルＣＳによりノートリミットが指定されている場合に、付加情報として付加表示領域２１３に表示される。
【００５７】
図５に示すように、ノートリミット画面Ｄ１は、各パートのノートリミットを鍵盤と対応付けて表す。具体的には、ノートリミット画面Ｄ１の下部に鍵盤画像ＫＩが表示され、鍵盤画像ＫＩの上側にノートリミット表示領域Ｒ１が設けられる。ノートリミット表示領域Ｒ１の横軸は鍵盤画像ＫＩの各鍵と対応した音高を表す。ノートリミット表示領域Ｒ１に、音色が割り当てられているパートのノートリミットを表す矩形のノートリミット調整子が表示される。ノートリミット表示領域Ｒ１の左部には、各ノートリミット調整子に対応するパートを表す数字が表示される。本例では、パートＰ１〜Ｐ５のノートリミットを表すノートリミット調整子ＮＡ１〜ＮＡ５が表示されている。ノートリミット調整子ＮＡ１〜ＮＡ５は、パラメータ調整子の例である。なお、ユーザがノートリミット領域Ｒ１の左部（パートを表す数字が表示される部分）を上または下にドラッグすることにより、ノートリミット領域Ｒ１に表示されるパートが変更されてもよい。例えば、図５のノートリミット画面Ｄ１において、ユーザがノートリミット領域Ｒ１の左部を下にドラッグした場合、ノートリミット領域Ｒ１にパートＰ９〜Ｐ１６の情報が表示される。
【００５８】
ノートリミット調整子ＮＡ１〜ＮＡ５により表されるノートリミットは、パート表示領域２１２ａ〜２１２ｄのノートリミット表示部２２３（図４）に表示される各パートのノートリミットと一致している。ユーザは、ノートリミット調整子ＮＡ１〜ＮＡ５の各々を左右に移動させることができるとともに、ノートリミット調整子ＮＡ１〜ＮＡ５の各々の左右の幅を調整することができる。それにより、各パートのノートリミットが調整される。ノートリミット調整子ＮＡ１〜ＮＡ５の位置または幅が変更されると、それに追従するように、パート表示領域２１２ａ〜２１２ｄのノートリミット表示部２２３に表示されるノートリミットが変更される。
【００５９】
パート毎に鍵盤の各鍵に対応する音高を変更可能であってもよい。例えば、２つのパートのノートリミットが同じである場合に、これらの２つのパートについて各鍵に対応する音高が互いに同じであると、一方のパートのノートリミットに対応する鍵盤の範囲と他方のパートのノートリミットに対応する鍵盤の範囲とは互いに同じである。そのため、これらの２つのパートに同一のチャンネルが割り当てられている場合には、一方のパートと他方のパートとで異なる旋律を奏することはできない。そこで、一方のパートのノートリミットに対応する鍵盤の範囲と、他方のパートのノートリミットに対応する鍵盤の範囲とが互いに異なるように、これらの２つのパートについて各鍵に対応する音高が変更される。これにより、これらの２つのパートに同一のチャンネルが割り当てられている場合でも、一方のパートの演奏と他方のパートの演奏とをそれぞれ独立に行うことが可能となり、一方のパートと他方のパートとで異なる旋律を奏することができる。
【００６０】
いずれかのパートについて各鍵に対応する音高が変更された場合、図５のノートリミット画面Ｄ１において、該当のパートに対応するノートリミット調整子と鍵盤画像ＫＩとの位置関係が変更されてもよい。具体的には、該当のパートのノートリミットに対応する鍵盤の範囲と、該当のパートに対応するノートリミット調整子の直下に位置する鍵盤画像ＫＩの範囲とが一致するように、ノートリミット調整子と鍵盤画像ＫＩとの位置関係が調整される。この場合、ユーザは、ノートリミット画面Ｄ１を見て、該当のパートのノートリミットに対応する鍵盤の範囲を容易に認識することができる。
【００６１】
図６には、いずれかのパートのベロシティリミットを表すベロシティリミット画面Ｄ２の例が示される。図６のベロシティリミット画面Ｄ２は、いずれかのパート表示領域においてカーソルＣＳによりベロシティリミットが指定されている場合に、付加情報として付加表示領域２１３に表示される。例えば、図３のタブ２１１ａが選択されている場合であって、パート表示領域２１２ａにおいてベロシティリミットが指定されている場合、付加表示領域２１３にベロシティリミット画面Ｄ２が表示され、そのベロシティリミット画面Ｄ２にパートＰ１のベロシティリミットが示される。
【００６２】
図６に示すように、ベロシティリミット画面Ｄ２は、該当のパートのベロシティリミットを鍵盤と対応付けて表す。具体的には、ベロシティリミット画面Ｄ２の下部に鍵盤画像ＫＩが表示されており、鍵盤画像ＫＩの上側にベロシティリミット表示領域Ｒ２が設けられる。ベロシティリミット表示領域Ｒ２の横軸は鍵盤画像ＫＩの各鍵と対応した音高を表し、縦軸はベロシティを表す。ベロシティリミット表示領域Ｒ２に、該当のパートのベロシティリミットを表す矩形のベロシティリミット調整子ＶＡが表示される。ベロシティリミット調整子ＶＡは、パラメータ調整子の例である。
【００６３】
ベロシティリミット調整子ＶＡにより表されるベロシティリミットは、該当のパート表示領域のベロシティリミット表示部２２４（図４）に表示されるベロシティリミットと一致している。ユーザは、ベロシティリミット調整子ＶＡを上下方向に移動させることができるとともに、ベロシティリミット調整子ＶＡの上下の幅を調整することができる。それにより、該当のパートのベロシティリミットが調整される。ベロシティリミット調整子ＶＡの位置および上下の幅が変更されると、それに追従するように、該当のパート表示領域のベロシティリミット表示部２２４に表示されるベロシティリミットが変更される。
【００６４】
ベロシティリミット調整子ＶＡを左右に移動させることが可能であってもよい。また、ベロシティリミット調整子ＶＡの左右の幅を調整可能であってもよい。この場合、図５のノートリミット画面Ｄ１上でのノートリミット調整子の操作と同様に、該当のパートのノートリミットを調整することができる。また、図６の例では、ベロシティリミット表示領域Ｒ２に１つのベロシティリミット調整子ＶＡのみが表示されるが、複数のパートのベロシティリミットを表す複数のベロシティリミット調整子ＶＡがベロシティリミット表示領域Ｒ２に表示されてもよい。その場合、各パートに対応するベロシティリミット調整子ＶＡの識別のため、複数のベロシティリミット調整子ＶＡが互いに異なる色で表示されてもよい。
【００６５】
図７には、音色としてドラムが割り当てられたパート（ドラムパート）の出力レベルを表すドラム画面Ｄ３の例が示される。図７のドラム画面Ｄ３は、ドラムパートに対応するパート表示領域において、カーソルＣＳにより例えばパートネームが指定されている場合に、付加情報として付加表示領域２１３に表示される。
【００６６】
ドラムパートに関しては、鍵盤の複数の鍵に互いに異なる打楽器音が割り当てられており、各鍵が押下されると、その鍵に対応する打楽器音が発生される。この場合、押下される鍵と発生される打楽器音の音高とは互いに対応しない。
【００６７】
図７のドラム画面Ｄ３は、複数のドラムキーレベル調整子ＬＡを含む。複数のドラムキーレベル調整子ＬＡは、複数の鍵に割り当てられた複数の打楽器音の出力レベル（ボリューム）をそれぞれ表す。各ドラムキーレベル調整子ＬＡの上側に、対応する打楽器名を表すアルファベットが表示されている。例えば、"ＢＤ"は、バスドラムを表し、"ＳＤ"は、スネアドラムを表す。ユーザは、各ドラムキーレベル調整子ＬＡを操作することにより、対応する打楽器音の出力レベルを調整することができる。
【００６８】
図８には、ノーマルパートにおける各エレメントの出力レベルを表すエレメント画面Ｄ４の例が示される。音色としてピアノ音またはギター音等が割り当てられているパートにおいては、鍵盤のいずれかの鍵が押下されると、その鍵に応じた高さの音が発生される。ドラムパートと区別して、押下された鍵に応じた高さの音が発生されるパートをノーマルパートという。ＰＣＭ（Pulse Code Modulation）方式による音色が割り当てられたノーマルパートは、複数のエレメントにより構成される。各エレメントは、音の素材である波形にパラメータを適用して生成される。図８のエレメント画面Ｄ４は、ＰＣＭ方式による音色が割り当てられたノーマルパートに対応するパート表示領域において、カーソルＣＳにより例えばパートネームが指定されている場合に、付加情報として付加表示領域２１３に表示される。
【００６９】
図８のエレメント画面Ｄ４は、該当のノーマルパートを構成する８個のエレメントにそれぞれ対応する８個のオンオフボタンＥＢおよび８個のエレメントレベル調整子ＥＬを含む。各オンオフボタンＥＢの上側には、対応するエレメントを表す数字が表示される。ユーザは、各オンオフボタンＥＢを操作することにより、各エレメントのオンオフを切り替えることができる。複数のエレメントレベル調整子ＥＬは、複数のエレメントの出力レベルをそれぞれ表す。ユーザは、エレメントレベル調整子ＥＬを操作することにより、各エレメントの出力レベルを調整することができる。
【００７０】
図９には、ノーマルパートにおけるアルゴリズムを表すアルゴリズム画面Ｄ５の例が示される。ＦＭ（Frequency modulation）方式による音色は、複数のオペレータ（ＦＭ合成器）の並べ方に依存する。そのような複数のオペレータの並べ方をアルゴリズムという。図９のアルゴリズム画面Ｄ５は、ＦＭ方式による音色が割り当てられたノーマルパートに対応するパート表示領域において、カーソルＣＳにより例えばパートネームが指定されている場合に、付加情報として付加表示領域２１３に表示される。
【００７１】
図９のアルゴリズム画面Ｄ５は、アルゴリズム表示領域Ｒ３、アルゴリズムナンバー表示領域Ｒ４、フィードバックレベル表示領域Ｒ５、および複数のオペレータレベル調整子ＯＡを含む。ユーザは、予め記憶された複数のアルゴリズムから任意のアルゴリズムを選択することができる。アルゴリズム表示領域Ｒ３には、選択されているアルゴリズムを表す模式図が表示される。アルゴリズムナンバー表示領域Ｒ４には、選択されているアルゴリズムの識別番号であるアルゴリズムナンバーが表示される。フィードバックレベル表示領域Ｒ５には、フィードバックの度合を示すフィードバックレベルが表示される。フィードバックとは、モジュレータで変調したキャリアの出力波形を用いてモジュレータ自身を変調させることを意味する。オペレータレベル調整子ＯＡは、各オペレータの出力レベルを表す。ユーザは、オペレータレベル調整子ＯＡを操作することにより、各オペレータの出力レベルを調整することができる。
【００７２】
（１−５）パフォーマンス画面の切替
図１０は、パフォーマンス画面２００の切替例を示す図である。図３のパフォーマンス画面２００において、表示切替ボタン２０３が操作されると、例えば、図１０のパフォーマンス画面２００が表示される。図１０のパフォーマンス画面２００について、図３のパフォーマンス画面２００と異なる点を説明する。
【００７３】
図１０のパフォーマンス画面２００は、タブ２１１ａ〜２１１ｄ、パート表示領域２１２ａ〜２１２ｄおよび付加表示領域２１３の代わりに、ノブ表示領域２２１ａ〜２２１ｈおよびパート表示領域２２２ａ〜２２２ｈを含む。
【００７４】
図１の設定操作子４は、８つのノブ（図示せず）を含む。ノブ表示領域２２１ａ〜２２１ｈは、それら８つのノブにそれぞれ対応する。ノブ表示領域２２１ａ〜２２１ｈの各々には、対応するノブに割り当てられたパラメータの種類が表示されるとともに、ノブを模したパラメータ画像ＰＩが表示される。パラメータ画像ＰＩは、対応するノブに割り当てられたパラメータの値を表す。ユーザは、ノブ表示領域２２１ａ〜２２１ｈにおいて、パラメータ画像ＰＩを操作することにより、各ノブに割り当てられるパラメータの値を変更することができる。
【００７５】
パート表示領域２２２ａ〜２２２ｈの各々は、ノートリミット表示部２２３（図４）およびベロシティリミット表示部２２４（図４）の一方を含まない点を除いて、図３のパート表示領域２１２ａ〜２１２ｄの各々と同じ構成を有する。図１０の例では、パート表示領域２２２ａ〜２２２ｈに、パートＰ１〜Ｐ８に関する情報がそれぞれ表示されている。なお、パートＰ６〜Ｐ８には音色が割り当てられていないので、パート表示領域２２２ｆ〜２２２ｈは、ブランク表示とされる。
【００７６】
図１の設定操作子４、またはパフォーマンス画面２００内に表示される切替ボタン（図示せず）が操作されることにより、パートＰ１〜Ｐ８に関する情報に代えて、パートＰ９〜Ｐ１２に関する情報がパート表示領域２０２ａ〜２０２ｈに表示される。図１０のパフォーマンス画面２００において、表示切替ボタン２０３が操作されると、図３のパフォーマンス画面が再度表示される。
【００７７】
図３のパフォーマンス画面２００と異なり、図１０のパフォーマンス画面２００においては、ユーザが５つ以上のパートの設定情報を同時に確認することができる。ユーザは、パフォーマンス画面２００を適宜切り替えることにより、多様な態様でパフォーマンスモードの各種設定を行うことができる。
【００７８】
（１−６）電子音楽装置の機能的構成
図１１は、図１の電子音楽装置１の機能的な構成を示すブロック図である。図１１に示すように、電子音楽装置１は、パフォーマンスデータ取得部５１、タブ表示部５２、ダイジェスト情報表示部５３、タブ選択受付部５４、詳細情報表示部５５、使用状態設定部５６、パート指定受付部５７、情報指定受付部５８、操作受付部５９、音高範囲設定部６０および対応関係設定部６１を含む。図１のＣＰＵ１１がＲＯＭ１０または記憶装置１３に記憶されたパート表示プログラムを実行することにより図１１における電子音楽装置１の各部の機能が実現される。
【００７９】
パフォーマンスデータ取得部５１は、図１の記憶装置１３から、選択されているパフォーマンスデータを取得する。タブ表示部５２は、表示回路７を制御することにより、複数のパート群Ｇ１〜Ｇ４にそれぞれ対応する複数のタブ２１１ａ〜２１１ｄを表示する。タブ表示部５２は、取得されたパフォーマンスデータを構成するパートの数等に基づいて、表示するタブの数を適宜調整してもよい。ダイジェスト情報表示部５３は、表示回路７を制御することにより、表示された複数のタブ２１１ａ〜２１１ｄの各々に、対応するパート群の各パートのダイジェスト情報を重畳して表示する。ダイジェスト情報は、パフォーマンスデータ取得部５１によって取得されたパフォーマンスデータから得られる。
【００８０】
タブ選択受付部５４は、表示された複数のタブ２１１ａ〜２１１ｄのうちいずれか１つのタブの選択を受け付ける。例えば、ユーザが図１の設定操作子４を操作して１つのタブを選択することにより、タブの選択が受け付けられる。あるいは、ディスプレイ６および設定操作子４の少なくとも一部がタッチパネルディスプレイにより構成される場合、ユーザがタッチパネルディスプレイ上で１つのタブをタッチすることにより、タブの選択が受け付けられる。
【００８１】
詳細情報表示部５５は、表示回路７を制御することにより、選択されたタブに対応するパート群の詳細情報を含むパート詳細画面ＰＤを表示する。上記のように、パート詳細画面ＰＤは、パート表示領域２１２ａ〜２１２ｄおよび付加表示領域２１３を含む。また、詳細情報は、パート表示領域２１２ａ〜２１２ｄの各々に表示される複数の設定情報、および付加表示領域２１３に表示される付加情報を含む。詳細情報は、パフォーマンスデータ取得部５１によって取得されたパフォーマンスデータから得られる。
【００８２】
使用状態設定部５６は、複数のパート群Ｇ１〜Ｇ４の各パートを使用状態または非使用状態に設定する。パート指定受付部５７は、複数のパート群Ｇ１〜Ｇ４のうちいずれか１つのパートの指定を受け付ける。例えば、ユーザが図３のパフォーマンス画面２００上でカーソルＣＳをパート表示領域２１２ａ〜２１２ｄのいずれかに移動させることにより、パートの指定が受け付けられる。また、図１の設定操作子４として、パートの指定が可能な指定操作子が設けられ、その指定操作子に操作により、パートの指定が受け付けられてもよい。その場合、選択されていないタブに対応するパートの指定も可能である。選択されていないタブに対応するパートが指定操作子によって指定された場合、選択されていたタブに代えて、指定されたパートに対応するタブの選択がタブ選択受付部５４により受け付けられてもよい。
【００８３】
情報指定受付部５８は、指定されたパートに対応するパート表示領域において複数の設定情報のうちいずれか１つの指定を受け付ける。例えば、ユーザが図３のカーソルＣＳをいずれかの設定情報に対応する位置に移動させることにより、設定情報の指定が受け付けられる。操作受付部５９は、付加表示領域２１３におけるパラメータ調整子の操作を受け付ける。
【００８４】
音高範囲設定部６０は、パート毎に音高範囲（ノートリミット）を設定する。例えば、ユーザが、図５のノートリミット画面Ｄ１において、ノートリミット調整子を操作することにより、パート毎に音高範囲が設定される。対応関係設定部６１は、設定された音高範囲と複数の音高操作子（鍵）との対応関係を設定する。上記のように、鍵盤の各鍵と音高との対応関係が変更された場合、それに伴って、音高範囲と複数の鍵との対応関係も変更される。
【００８５】
（１−７）パート表示処理
図１２は、図１の電子音楽装置１におけるパート表示処理の一例を示すフローチャートである。図１２のパート表示処理は、図１のＣＰＵ１１がＲＯＭ１０または記憶装置１３に記憶されたパート表示プログラムを実行することにより行われる。
【００８６】
まず、パフォーマンスデータ取得部５１が、選択されているパフォーマンスデータを図１の記憶装置１３から取得する（ステップＳ１）。次に、タブ表示部５２は、複数のパート群Ｇ１〜Ｇ４にそれぞれ対応する複数のタブ２１１ａ〜２１１ｄを表示する（ステップＳ２）。次に、ダイジェスト情報表示部５３は、取得されたパフォーマンスデータに基づいて、各パートのダイジェスト情報（図３の識別マークｄ１〜ｄ１６）を複数のタブに重畳して表示する（ステップＳ３）。次に、詳細情報表示部５５は、取得されたパフォーマンスデータに基づいて、デフォルトのパート群の設定情報を複数のパート表示領域に表示する（ステップＳ４）。図３の例において、デフォルトのパート群は、例えばパート群Ｇ１である。
【００８７】
次に、タブ選択受付部５４は、ユーザによりいずれかのタブが選択されたか否かを判定する（ステップＳ５）。タブが選択された場合、詳細情報表示部５５は、選択されたタブに対応するパート群の設定情報を複数のパート表示領域に表示する（ステップＳ６）。タブが選択されていない場合、ステップＳ６がスキップされる。
【００８８】
次に、パート指定受付部５７および情報指定受付部５８は、ユーザによりいずれかのパートおよびいずれかの設定情報が指定されたか否かを判定する（ステップＳ７）。パートおよび設定情報が指定されると、詳細情報表示部５５は、指定されたパートおよび指定された設定情報に関する付加情報を付加表示領域に表示する（ステップＳ８）。パートおよび設定情報が指定されていない場合、ステップＳ８がスキップされる。
【００８９】
次に、操作受付部５９は、付加表示領域２１３に表示されるパラメータ調整子の操作によりいずれかの設定情報のパラメータが変更されたか否かを判定する（ステップＳ９）。パラメータ調整子が操作された場合、詳細情報表示部５５は、パラメータ調整子の操作によるパラメータの変更に追従するように、パート表示領域２１２ａ〜２１２ｄに表示される該当の設定情報のパラメータを変更する（ステップ１０）。パラメータ調整子が操作されていない場合、ステップＳ１０がスキップされる。
【００９０】
次に、対応関係設定部６１は、いずれかのパートについてノートリミットと複数の音高指定子（鍵）との対応関係が変更されたか否かを判定する（ステップＳ１１）。対応関係が変更された場合、詳細情報表示部５５は、付加表示領域２１３にノートリミット画面Ｄ１が表示されているか否かを判定する（ステップＳ１２）。ノートリミット画面Ｄ１が表示されている場合、詳細情報表示部５５は、対応関係の変更に追従するように、ノートリミット画面Ｄ１においてノートリミット調整子と鍵盤画像ＫＩとの位置関係を調整する。その後、タブ選択受付部がステップＳ５に戻る。ステップＳ１１において対応関係が変更されていない場合、またはステップＳ１２においてノートリミット画面Ｄ１が表示されていない場合、ステップＳ１０がスキップされ、タブ選択受付部がステップＳ５に戻る。
【００９１】
このような一例の処理により、ディスプレイ６に図３のパフォーマンス画面２００が表示されるとともに、表示されたパフォーマンス画面２００上での種々の操作が可能となる。
【００９２】
（１−８）実施の形態の効果
本実施の形態に係る電子音楽装置１においては、複数のタブ２１１ａ〜２１１ｄのうちいずれか１つのタブが選択されると、選択されたタブに対応するパート群の各種情報がパフォーマンス画面２００に表示される。それにより、限られたスペースにおいて所望のパート群の情報を表示することができる。また、タブ２１１ａ〜２１１ｄの各々には、対応するパート群の各パートのダイジェスト情報が重畳表示される。これにより、ユーザは、選択されていないタブを見て、そのタブに対応する各パートのダイジェスト情報を確認することができる。したがって、パフォーマンスデータを構成するパート数が多い場合でも、利便性が低下することなく各パートの情報を容易に確認することが可能となる。
【００９３】
また、本実施の形態では、ダイジェスト情報として、各タブに対応するパート群の各パートが使用状態であるか否かが表示される。これにより、ユーザは、選択されていないタブに対応する各パートが使用状態であるか非使用状態であるかを容易に確認することができる。
【００９４】
また、本実施の形態では、パフォーマンス画面２００のパート表示領域２１２ａ〜２１２ｄに、選択されたタブに対応するパート群の設定情報がそれぞれ表示される。これにより、ユーザは、選択されたタブに対応する各パートの設定情報を容易に確認することができる。
【００９５】
また、本実施の形態では、パフォーマンス画面２００の付加表示領域２１３に、少なくとも１つのパートに関する付加情報が表示される。これにより、ユーザは、選択されたタブに対応する各パートの設定情報と少なくとも１つのパートに関する付加情報とを共通の画面上で効率良く確認することができる。
【００９６】
また、本実施の形態では、パート表示領域２１２ａ〜２１２ｄにおいてカーソルＣＳにより所望のパートおよび所望の設定情報が指定され、指定されたパートおよび設定情報に対応する付加情報が付加表示領域２１３に表示される。これにより、ユーザは、煩雑な操作を行うことなく、所望のパートの所望の設定情報に対応する付加情報を付加表示領域２１３に表示させることができる。
【００９７】
また、本実施の形態では、付加表示領域２１３においてパラメータ調整子が操作されると、その操作に追従するように、パート表示領域２１２ａ〜２１２ｄにおける設定情報のパラメータが変更される。これにより、ユーザは、パート表示領域２１２ａ〜２１２ｄおよび付加表示領域２１３のいずれにおいても、調整後のパラメータを誤りなく確認することができる。
【００９８】
（２）第２実施の形態
（２−１）音響システムの全体構成
図１３は、本実施の形態に係るパート表示装置を備えた音響システム１０００の構成を示すブロック図である。図１３の音響システム１０００は、複数の音響機器ａ〜ｈと、これらの音響機器ａ〜ｈに接続されるコントローラ１００１とを備える。音響機器ａ〜ｈは、通信機能を有しており、同じく通信機能を有するコントローラ１００１等の他機器と通信可能である。コントローラ１００１は、音響機器ａ〜ｈの設定情報を設定し、これに従って音響機器ａ〜ｈの動作を制御する。ここでいう設定情報とは、例えば、機器の名称、機種名、オンオフ、イコライザー、ボリューム等に関する。これらの設定情報は、ユーザがコントローラ１００１を操作することにより、適宜設定可能である。また、音響システム１０００は、音響機器ａ〜ｈに楽曲データを配信する配信サーバ１００２をさらに備える。音響機器ａ〜ｈおよびコントローラ１００１は、配信サーバ１００２から楽曲データの提供を受けることができる。また、音響機器ａ〜ｈは、コントローラ１００１から楽曲データの提供を受けることもできる。配信サーバ１００２と、コントローラ１００１および音響機器ａ〜ｈとの接続方法は特に限定されないが、本実施形態ではインターネット接続される。
【００９９】
音響機器ａ〜ｈは、同一の建物内の様々なルーム（エリア）内に分かれて配置される。本実施形態では、１つの建物内に３つのルームＡ〜Ｃがあり、ルームＡ内に音響機器ａ〜ｃが配置され、ルームＢ内に音響機器ｄ〜ｆが配置され、ルームＣ内に音響機器ｇ，ｈが配置される。ただし、音響機器ａ〜ｈは、複数の建物に分かれて配置されてもよいし、１つのルーム（エリア）内に配置される音響機器は１台であってもよい。
【０１００】
（２−２）コントローラの構成
本実施形態に係るコントローラ１００１は、所定のアプリケーションプログラム（本実施形態に係るパート表示プログラムを含む）がインストールされた携帯電話機（スマートフォン）である。ただし、コントローラ１００１のハードウェア構成はこの例に限られず、例えば、タブレットコンピュータ、デスクトップコンピュータ、ラップトップコンピュータ等の任意の態様のコンピュータとして実現することができる。図１４に示すように、コントローラ１００１は、設定操作子４、検出回路５、ディスプレイ６、表示回路７、ＲＡＭ９、ＲＯＭ１０、ＣＰＵ１１、タイマ１２、記憶装置１３、通信Ｉ／Ｆ１４およびバス１９を備える。これらの要素４〜７、９〜１４および１９は、第１実施の形態において同じ参照符号が付された要素と同様の役割を果たす。
【０１０１】
本例において、設定操作子４は、操作キーや、ディスプレイ６上に重ねられたタッチパネル等として実現され、検出回路５を介してバス１９に接続される。設定操作子４は、音響機器ａ〜ｈの各種設定を行うために用いられる。ディスプレイ６は、表示回路７を介してバス１９に接続される。ディスプレイ６には、音響機器ａ〜ｈの各種設定に関する情報が表示される。
【０１０２】
ＲＡＭ９、ＲＯＭ１０、ＣＰＵ１１、タイマ１２および記憶装置１３の物理的構成は、第１実施の形態と同様であり、これらの要素９〜１３はバス１９に接続される。ＣＰＵ１１は、ＲＯＭ１０または記憶装置１３に記憶されたパート表示プログラムをＲＡＭ９上で実行することによりパート表示装置として動作し、パート表示処理を実行する。通信Ｉ／Ｆ１４も、バス１９に接続され、Wi-fi、Bluetooth（登録商標）、３Ｇ／４Ｇ回線等の無線通信回線または有線通信回線に接続される。
【０１０３】
記憶装置１３には、音響機器ａ〜ｈおよびこれらが配置されるルームに関する管理情報（以下、パート管理情報という）が格納されている。パート管理情報としては、音響機器のＩＤ番号、名称、機種名、設置場所となるルームのＩＤ番号等の属性情報が音響機器毎に関連付けて格納されている。パート管理情報は、ユーザが設定操作子４を操作することにより、適宜設定される。また、記憶装置１３には、音響機器ａ〜ｈに提供可能な楽曲データ等も格納されている。
【０１０４】
（２−３）音響機器の構成
本実施形態の音響機器ａ〜ｈは、ＡＶ（オーディオビジュアル）機器であり、このうち、音響機器ａは、モノラルスピーカであり、音響機器ｂは、ステレオスピーカであり、音響機器ｃは、ＡＶレシーバーである。すなわち、音響システム１０００は、様々な種類の音響機器を含むことができる。なお、音響機器として、ＰＡ（パブリックアドレス）機器が用いられてもよい。
【０１０５】
以下、図１５を参照しつつ、音響機器ａを例として音響機器の構成について説明するが、音響機器ｂ〜ｈについても同様であるものとする。本実施形態に係る音響機器ａは、楽曲データの再生機能を有しており、オーディオ処理部１１０１、スピーカ１１０２、制御部１１０３および通信Ｉ／Ｆ１１０４を備え、さらにこれらを接続するバス１１０５を備える。
【０１０６】
オーディオ処理部１１０１は、チューナ、オーディオ回路およびパワーアンプを有している。チューナは、ＦＭ放送から、あるいは通信Ｉ／Ｆ１１０４を介して配信サーバ１００２やコントローラ１１０１等の外部機器から楽曲データや音響信号を受信してオーディオ回路に入力する。なお、コントローラ１１０１は、配信サーバ１００２から提供されるまたは記憶装置１３に記憶されている楽曲データを音響信号に変換し、これを音響機器ａ〜ｈに提供することができる。また、オーディオ回路に入力される音響信号は、配信サーバ１００２やコントローラ１１０１等の外部機器から通信Ｉ／Ｆ１１０４を介して入力される楽曲データ、あるいは音響機器ａに内蔵または外付けされるＵＳＢメモリやＣＤ等の記録媒体に記憶されている楽曲データ等に基づいて、制御部１１０３により生成されてもよい。オーディオ回路は、このようにして取得される音響信号に対してイコライズ、音量調整などのエフェクト処理を行ったのち、このエフェクト処理された音響信号をパワーアンプに出力する。パワーアンプは入力された音響信号を増幅し、スピーカ１１０２に出力する。スピーカ１１０２は、入力された音響信号を音響として放音する。
【０１０７】
通信Ｉ／Ｆ１１０４は、コントローラ１００１と通信可能なように、Wi-fi、Bluetooth（登録商標）等の無線通信回線または有線通信回線に接続される。制御部１１０３は、ＣＰＵ、ＲＯＭおよびＲＡＭを含み、ＣＰＵは、ＲＯＭまたは図示されない記憶装置に格納されているプログラムを実行することにより、音響機器ａに各種動作を実行させる。制御部１１０３は、コントローラ１００１から各種命令を受信し、これに従って音響機器ａの動作を制御する。
【０１０８】
音響システム１０００は、音響機器ａ〜ｈのうちグループ設定された音響機器において同一コンテンツの同期再生が可能である。グループは、コントローラ１００１を操作するユーザからの命令に従って、コントローラ１００１により設定される。コンテンツは、例えば、楽曲であり、様々な方法で取得される楽曲データがソースとなる。楽曲データのファイル形式は、例えば、ＭＰ３、ＷＡＶ、ＳｏｕｎｄＶＱ（登録商標）、ＷＭＡ（登録商標）、ＡＡＣなどである。
【０１０９】
（２−４）配信サーバの構成
配信サーバ１００２は、多種多様な楽曲データを保持するデータベースを備え、自身にアクセスしてくるコントローラ１００１や音響機器ａ〜ｈのようなクライアント端末の求めに応じて、データベース内の楽曲データを配信するサーバである。配信サーバ１００２は、ハードウェアとしては汎用のコンピュータであり、所定のプログラムを実行することにより各種動作を実行する。
【０１１０】
（２−５）パートの構成
ユーザは、コントローラ１００１を介して音響機器ａ〜ｈの動作を制御することができる。コントローラ１００１内では、上述したパート管理情報により、音響機器ａ〜ｈが各々、パートとして管理される。言い換えると、コントローラ１００１は、管理単位となるパートに１対１で音響機器ａ〜ｈを割り当てる。各パートに割り当てられる音響機器は、ユーザが指定可能である。
【０１１１】
また、コントローラ１００１により管理される複数のパートは、複数のパート群に区分される。パート群は、１または複数のパートをまとめるグループとしてユーザが任意に設定可能である。典型的な設定例を挙げると、パート群は、ある特定のルームに配置される１または複数の音響機器に対応する１または複数のパートから構成される。すなわち、パート群には、１対１でルームが割り当てられ、これにより、ルームを管理単位として音響機器を管理することができる。以下では、このような例を前提として説明を行う。図１６に示すように、本実施形態では、８つの音響機器ａ〜ｈにそれぞれ対応する８つのパートＰ１〜Ｐ８が存在し、それらのパートＰ１〜Ｐ８が３つのパート群Ｇ１〜Ｇ３に区分される。パート群Ｇ１はパートＰ１〜Ｐ３を含み、パート群Ｇ２はパートＰ４〜Ｐ６を含み、パート群Ｇ３はパートＰ７およびＰ８を含む。パート群Ｇ１はルームＡに対応し、パート群Ｇ２はルームＢに対応し、パート群Ｇ３はルームＣに対応する。コントローラ１００１内では、パート群を構成するパートの情報は、パート管理情報に含まれる設置場所となるルームのＩＤ番号に基づいて管理される。
【０１１２】
（２−６）管理画面
ユーザがコントローラ１００１の操作設定子４に対し所定の操作を加えると、コントローラ１００１のディスプレイ６上には管理画面が表示される。管理画面は、各パートの情報を含む。図１７は、ディスプレイ６に表示される管理画面の例を示す図である。図１７の管理画面１２００は、タブ１２１１ａ〜１２１１ｃ、パート表示領域１２１２ａ〜１２１２ｃ、および付加表示領域１２１３を含む。
【０１１３】
タブ１２１１ａ〜１２１１ｃは、左右に並ぶように配置される。タブ１２１１ａ〜１２１１ｃは、図１６のパート群Ｇ１〜Ｇ３にそれぞれ対応する。タブ１２１１ａ〜１２１１ｃの各々には、対応するパート群の各パートに関するダイジェスト情報が重畳して表示される。本例では、各パートに割り当てられた音響機器が使用状態であるか非使用状態であるかを示すとともに、各パートに割り当てられた音響機器の名称を示す識別マークｄ２１〜ｄ２８が、ダイジェスト情報としてタブ１２１１ａ〜１２１１ｃに重畳表示される。識別マークｄ２１〜ｄ２３はタブ１２１１ａ上に表示され、識別マークｄ２４〜ｄ２６はタブ１２１１ｂ上に表示され、識別マークｄ２７〜ｄ２８はタブ１２１１ｃ上に表示される。
【０１１４】
識別マークｄ２１〜ｄ２８は、図１６のパートＰ１〜Ｐ８にそれぞれ対応する。識別マークｄ２１〜ｄ２８の各々は、対応するパートが使用状態であるか非使用状態であるかを色の違いによって表す。例えば、識別マークｄ２１〜ｄ２８の各々は、対応するパートが使用状態である場合に比較的明るい色で表示され、対応するパートが非使用状態である場合に比較的暗い色で表示される。図１７においては、使用状態のパートに対応する識別マークがより薄い色が付されている。本例では、識別マークｄ２１〜ｄ２４、ｄ２６およびｄ２７に薄い色が付されている。したがって、パートＰ１〜Ｐ４、Ｐ６およびＰ７が使用状態であり、パートＰＰ５およびＰ８が非使用状態である。また、識別マークｄ２１〜ｄ２８の各々は、対応するパートに割り当てられた音響機器の名称を文字情報として表す。
【０１１５】
ユーザは、タブ１２１１ａ〜１２１１ｃのうちいずれかを選択することができる。選択されているタブは、視覚的に認識しやすいように、例えばハイライト表示される。図１７の例では、タブ１２１１ａが選択されている。
【０１１６】
パート表示領域１２１２ａ〜１２１２ｃは、タブ１２１１ａ〜１２１１ｃの下側にそれぞれ配置される。付加表示領域１２１３は、タブ１２１１ａ〜１２１１ｃおよびパート表示領域１２１２ａ〜１２１２ｃの右側に配置される。パート表示領域１２１２ａ〜１２１２ｃおよび付加表示領域１２１３により、パート詳細画面ＰＤ１が構成される。
【０１１７】
なお、管理画面１２００のレイアウトは、図１７の例に限定されない。例えば、パート表示領域１２１２ａ〜１２１２ｃが上下に並ぶように設けられてもよく、あるいはタイル状に上下左右に並ぶように設けられてもよい。また、パート表示領域１２１２ａ〜１２１２ｃと付加表示領域１２１３との左右の位置関係が逆でもよい。
【０１１８】
（２−７）パート表示領域における表示例
パート表示領域１２１２ａ〜１２１２ｃの各々には、選択されているタブに対応するパート群の各パートの情報が表示される。例えば、図１７の例のようにタブ１２１１ａが選択されている場合、パート表示領域１２１２ａにパートＰ１の情報が表示され、パート表示領域１２１２ｂにパートＰ２の情報が表示され、パート表示領域１２１２ｃにパートＰ３の情報が表示される。同様に、タブ１２１１ｂが選択されている場合、パート表示領域１２１２ａ〜１２１２ｃにパートＰ４〜Ｐ６の情報がそれぞれ表示され、タブ１２１１ｃが選択されている場合、パート表示領域１２１２ａ〜１２１２ｂにパートＰ７〜Ｐ１８の情報がそれぞれ表示される。
【０１１９】
以下、パート表示領域１２１２ａ〜１２１２ｃにおける表示について、タブ１２１１ａが選択されている場合のパート表示領域１２１２ａにおける表示を例に説明する。図１７に示すように、パート表示領域１２１２ａは、パートネーム表示部１２２１、イコライザー表示部１２２２、ボリューム表示部１２２３を含む。
【０１２０】
パートネーム表示部２２１には、パートＰ１に割り当てられた音響機器の機種名（パートタイプ）および名称（パートネーム）が表示される。図１７の例では、パートタイプとして"monaural speaker"が表示され、パートネームとして"Device a"が表示される。
【０１２１】
イコライザー表示部１２２２には、イコライザー設定が表示される。イコライザー設定は、パラメータ情報の例であり、音のイコライザーの設定を定める。音響機器ａからは、イコライザー設定に従ってエフェクトが適用された音が発生する。ボリューム表示部１２２３には、ボリューム設定が表示される。ボリューム設定は、パラメータ情報の例であり、音の出力レベル（ボリューム）を定める。音響機器ａからは、ボリューム設定に従う音量の音が発生する。なお、図１７に示すように、音響機器がステレオスピーカである場合には、イコライザー設定及びボリューム設定は、ＬとＲの２つ分が表示される。ただし、イコライザー設定およびボリューム設定の一方または両方について、ＬとＲの平均値が表示されてもよい。
【０１２２】
パート表示領域１２１２ａ〜１２１２ｃの各々に表示されるパートネーム、パートタイプ、イコライザー設定およびボリューム設定に関する設定情報は、ユーザが適宜設定可能である。図１７に示すように、パート表示領域１２１２ａ〜１２１２ｃには、１つの設定情報を指定するためのカーソルＣＳが表示される。ユーザは、カーソルＣＳをパート表示領域１２１２ａ〜１２１２ｃの任意の位置に移動させることができ、所望のパートの所望の設定情報を指定することができる。図１７の例では、パート表示領域１２１２ａにおけるイコライザー表示部１２２２にカーソルＣＳが配置されている。この場合、パートＰ１のイコライザー設定が指定されている。
【０１２３】
（２−８）付加表示領域における表示例
図１７の付加表示領域１２１３には、選択されているパート群のうち少なくとも１つのパートに関する情報が表示される。以下、付加表示領域１２１３に表示される情報を付加情報と呼ぶ。本例では、カーソルＣＳによって指定される設定情報に対応する付加情報が、付加表示領域１２１３に表示される。
【０１２４】
図１８および図１９は、付加表示領域１２１３における表示例を示す図である。図１８には、各パートのボリューム設定を表すボリューム設定画面Ｄ６の例が示される。図１８のボリューム設定画面Ｄ６は、いずれかのパート表示領域においてカーソルＣＳによりボリューム設定が指定されている場合に、付加情報として付加表示領域１２１３に表示される。
【０１２５】
図１８に示すように、ボリューム設定画面Ｄ６は、各パートのボリューム設定を該当のパートに対応付けて表す。具体的には、ボリューム設定画面Ｄ６の下部に、複数のパートにそれぞれ対応する複数の音響機器の名称が左右方向に配列されて表示されており、これらの名称の上側に、ボリューム表示領域Ｒ６が設けられる。ボリューム表示領域Ｒ６の横軸は音響機器すなわちパートを表し、縦軸はボリューム設定を表す。ボリューム表示領域Ｒ６には、該当のパートのボリューム設定を表すボリューム調整子ＶｏＡが表示される。ボリューム調整子ＶｏＡは、パラメータ調整子の例である。
【０１２６】
ボリューム調整子ＶｏＡにより表されるボリューム設定は、該当のパート表示領域のボリューム表示部１２２３（図１７）に表示されるボリューム設定と一致している。ユーザは、ボリューム調整子ＶｏＡの上端を上下方向に移動させることができる。それにより、該当のパートのボリューム設定が調整される。ボリューム調整子ＶｏＡの上端の位置が変更されると、それに追従するように、該当のパート表示領域のボリューム表示部１２２３に表示されるボリューム設定の表示が変更される。ボリューム調整子ＶｏＡの長さの変更方向は、上下方向に限らず、例えば、左右であってもよい。この場合も、同様に、該当のパートのボリューム設定を調整することができる。また、各ボリューム表示領域Ｒ６の上側には、該当のパートに対し設定されたボリューム設定が数値で表示される。
【０１２７】
図１９に示すように、イコライザー設定画面Ｄ７は、各パートのイコライザー設定を該当のパートに対応付けて表す。具体的には、イコライザー設定画面Ｄ７の左側に、複数のパートにそれぞれ対応する複数の音響機器の名称が上下方向に配列されて表示されており、これらの各名称の右側にイコライザー表示領域Ｒ７が設けられる。イコライザー表示領域Ｒ７は、イコライザー設定画面Ｄ７に名称が表示される音響機器に対応するパートの数だけ、上下方向に配列されて表示される。各イコライザー表示領域Ｒ７の横軸は、調整される周波数を表し、縦軸は、調整される周波数の音の強さのレベルを表す。イコライザー表示領域Ｒ７には、該当のパートの該当の周波数の音の強さのレベルを表すイコライザー調整子ＥＡが表示される。イコライザー調整子ＥＡは、パラメータ調整子の例である。
【０１２８】
イコライザー調整子ＥＡにより表されるイコライザー設定は、該当のパート表示領域のイコライザー表示部１２２２（図１７）に表示されるイコライザー設定と一致している。ユーザは、イコライザー調整子ＥＡのつまみを上下方向の軸に沿って移動させることができる。それにより、該当のパートの該当の周波数の音の強さのレベルが調整される。イコライザー調整子ＥＡのつまみの位置が変更されると、それに追従するように、該当のパート表示領域のイコライザー表示部１２２２に表示されるイコライザー設定の表示が変更される。イコライザー調整子ＥＡのつまみの移動方向は、上下方向に限らず、例えば、左右であってもよい。この場合も、同様に、該当のパートのイコライザー設定を調整することができる。
【０１２９】
（２−９）コントローラの機能的構成
図２０は、コントローラ１００１の機能的な構成を示すブロック図である。図２０に示すように、コントローラ１００１は、第１実施の形態の電子音楽装置１と同様に、タブ表示部５２、ダイジェスト情報表示部５３、タブ選択受付部５４、詳細情報表示部５５、使用状態設定部５６、パート指定受付部５７、情報指定受付部５８および操作受付部５９を含む。これらの部５２〜５９の動作は、第１実施の形態の電子音楽装置１と同様である。また、コントローラ１００１は、パフォーマンスデータ取得部５１に変えて、管理情報取得部１０５１をさらに含む。管理情報取得部１０５１は、記憶装置１３からパート管理情報を取得し、タブ表示部５２、ダイジェスト情報表示部５３および詳細情報表示部５５は、取得されパート管理情報に基づいて各種表示を制御する。
【０１３０】
ＣＰＵ１１がＲＯＭ１０または記憶装置１３に記憶されたパート表示プログラムを実行することにより、図２０におけるコントローラ１００１の各部の機能が実現される。これらの部５２〜５９および１０５１は、図１２と同様のパート表示処理を実行する。ただし、本実施の形態では、ステップＳ１では、管理情報取得部１０５１がパート管理情報を取得し、ステップＳ１１〜Ｓ１３が省略される。
【０１３１】
（３）他の実施の形態
（ａ）第１実施の形態は、本発明が電子鍵盤楽器に適用された例であるが、複数のパートに関する情報を表示可能な他の電子音楽装置に本発明が適用されてもよい。例えば、電子ギターおよび電子ドラム等の他の電子楽器に本発明が適用されてもよい。その場合、楽器本体とディスプレイとが別体であってもよい。また、他の電子音楽装置として、ミキサ、シーケンサ装置（ハードウェアシーケンサ）、ソフトウェアシーケンサまたはソフトウェアミキサーがインストールされたパーソナルコンピュータ等に本発明が適用されてもよい。上述のパート表示処理を行うパート表示装置は、電子音楽装置またはこれに接続される任意のコンピュータ（制御端末装置）上で好ましく実装することができる。
【０１３２】
（ｂ）第１実施の形態では、パートに音色が割り当てられるが、音色に代えて他の音楽データがパートに割り当てられてもよい。例えば、本発明がミキサに適用される場合、複数のパートにオーディオデータが割り当てられてもよい。また、一部のパートには音色が割り当てられ、他の一部のパートにはオーディオデータが割り当てられてもよい。
【０１３３】
（ｃ）上記実施の形態では、ダイジェスト情報として、パートが使用状態であるか非使用状態であるかが表示されるが、ダイジェスト情報として他の情報が表示されてもよい。例えば、第１実施の形態を例にとると、パートタイプまたはパートネームがダイジェスト情報として表示されてもよい。また、複数種類の音源が用いられる場合に、パートに割り当てられた音色に対応する音源の種類がダイジェスト情報として表示されてもよい。あるいは、音源として電子音楽装置１の内部で音響信号を生成する内部音源と電子音楽装置１の外部で音響信号を供給する外部音源とが用いられる場合に、パートに割り当てられた音色が内部音源および外部音源のいずれに対応するかがダイジェスト情報として表示されてもよい。
【０１３４】
さらに、例えばミキサにおいて、パートのボリュームがしきい値よりも高いか否かがダイジェスト情報として表示されてもよい。例えば、識別マークによって使用状態か非使用状態かが示されるとともに、識別マークの点滅または識別マークの色のさらなる変化により、パートのボリュームがしきい値よりも高いかが示されてもよい。また、パートに対応する音データの瞬時音量が所定値よりも高いか否かによって、識別マークの点滅または識別マークの色のさらなる変化が生じるようにしてもよい。また、例えば、識別マークによって使用状態か非使用状態かが示されるとともに、ＭＩＤＩ（Musical Instrument Digital Interface）メッセージの発生に応じて、識別マークの点滅または識別マークの色のさらなる変化が生じるようにしてもよい。これらのダイジェスト情報は、上記実施の形態と同様にマークとして各タブに表示されてもよく、記号または文字等として各タブに表示されてもよい。
【０１３５】
また、上記実施の形態では、全てのタブにダイジェスト情報が表示されるが、少なくとも１つのタブにダイジェスト情報が表示されなくてもよい。
【０１３６】
（ｄ）各タブに対応するパート群は、予め定められていてもよく、あるいはユーザが任意に指定可能であってもよい。例えば、第１実施の形態を例にとると、図３のタブ２１１ａに対応するパート群として、パートＰ１，Ｐ４，Ｐ９，Ｐ１０を指定し、タブ２１１ｂに対応するパート群として、パートＰ２，Ｐ７，Ｐ１３，Ｐ１６を指定すること等が可能であってもよい。また、各パート群におけるパートの順列を適宜変更可能であってもよい。例えば、第１実施の形態を例にとると、図２のパート群Ｇ１の順列をパートＰ３，Ｐ２，Ｐ４，Ｐ１の順に変更すること等が可能であってもよい。その場合、ダイジェスト情報の表示の並び、および各パート表示領域に対応付けられるパートが、変更後の順列に応じて変更される。
【０１３７】
（ｅ）上記実施の形態では、図１１および図２０の各機能部がＣＰＵ１１等のハードウエアおよびパート表示プログラム等のソフトウエアにより実現されるが、これらの機能部が電子回路等のハードウエアにより実現されてもよい。
【０１３８】
（ｆ）第２実施の形態では、パートに音響機器が割り当てられ、パート群がルームを基準に設定されたが、パートにルームを割り当て、複数のルームをパート群としてまとめてもよい。
【０１３９】
（４）請求項の各構成要素と実施の形態の各部との対応
以下、請求項の各構成要素と第１および第２実施の形態の各部との対応の例について説明するが、本発明は下記の例に限定されない。上記実施の形態におけるＣＰＵ１１がパート表示装置の例であり、タブ表示部５２がタブ表示手段の例であり、ダイジェスト情報表示部５３がダイジェスト情報表示手段の例であり、タブ選択受付部５４がタブ選択受付手段の例であり、詳細情報表示部５５が詳細情報表示手段の例であり、使用状態設定部５６が使用状態設定手段の例であり、パート指定受付部５７がパート指定受付手段の例であり、情報指定受付部５８が情報指定受付手段の例であり、操作受付部５９が操作受付手段の例であり、音高範囲設定部６０が音高範囲設定手段の例であり、対応関係設定部６１が対応関係設定手段の例である。また、各種設定情報が第１の情報の例であり、各種付加情報が第２の情報の例である。請求項の各構成要素として、請求項に記載されている構成または機能を有する他の種々の要素を用いることができる。
【産業上の利用可能性】
【０１４０】
本発明は、種々の電子音楽装置や、種々の音響機器の制御端末装置等に利用可能である。
【符号の説明】
【０１４１】
１…電子音楽装置，２…演奏操作部，３…検出回路，４…設定操作子，５…検出回路，６…ディスプレイ，７…表示回路，９…ＲＡＭ，１０…ＲＯＭ，１１…ＣＰＵ（パート表示装置），１２…タイマ，１３…記憶装置，１４…通信Ｉ／Ｆ，１５…外部記憶装置，１６…音源，１７…サウンドシステム，１９…バス，５１…パフォーマンスデータ取得部，５２…タブ表示部，５３…ダイジェスト情報表示部，５４…タブ選択受付部，５５…詳細情報表示部，５６…使用状態設定部，５７…パート指定受付部，５８…情報指定受付部，５９…操作受付部，６０…音高範囲設定部，６１…対応関係設定部，２００…パフォーマンス画面，２０１…ネーム表示領域，２０３…表示切替ボタン，２１１ａ〜２１１ｄ，１２１１ａ〜１２１１ｃ…タブ，２１２ａ〜２１２ｄ，１２１２ａ〜１２１２ｃ…パート表示領域，２１３，１２１３…付加表示領域，１０００…音響システム，１００２…配信サーバ，１００１…コントローラ（制御端末装置），ａ〜ｈ…音響機器
【図１】
0006750691.tif 000002
【図２】
0006750691.tif 000003
【図３】
0006750691.tif 000004
【図４】
0006750691.tif 000005
【図５】
0006750691.tif 000006
【図６】
0006750691.tif 000007
【図７】
0006750691.tif 000008
【図８】
0006750691.tif 000009
【図９】
0006750691.tif 000010
【図１０】
0006750691.tif 000011
【図１１】
0006750691.tif 000012
【図１２】
0006750691.tif 000013
【図１３】
0006750691.tif 000014
【図１４】
0006750691.tif 000015
【図１５】
0006750691.tif 000016
【図１６】
0006750691.tif 000017
【図１７】
0006750691.tif 000018
【図１８】
0006750691.tif 000019
【図１９】
0006750691.tif 000020
【図２０】
0006750691.tif 000021